(57)【要約】【課題】ＩＣタグを貼り付ける十分な大きさの平坦面が物品表面になくても剥がれることが無く且つ十分な通信読取範囲を確保でき、また、ＩＣタグの汚損や衝撃に対する耐性機能を高めることができる情報保持媒体を提供する。【解決手段】可撓な無線情報通信タグ１０と、多面形状又は曲面形状に形成されたタグ配置面２１を有するベース２０と、ベース２０に組み付けられ、ベース２０タグ配置面２１との間で無線情報通信タグ１０を挟持するカバー３０と、を備える情報保持媒体１。【選択図】図１
2018180555.tif 000002
【特許請求の範囲】
【請求項１】
可撓な無線情報通信タグと、
多面形状又は曲面形状に形成されたタグ配置面を有するベースと、
前記ベースに組み付けられ、前記ベースの前記タグ配置面との間で前記無線情報通信タグを挟持するカバーと、
を備える情報保持媒体。
【請求項２】
請求項１記載の情報保持媒体であって、
前記カバーのタグ接触面は、前記タグ配置面と相似形状に形成されている情報保持媒体。
【請求項３】
請求項２記載の情報保持媒体であって、
前記タグ配置面と、前記タグ接触面とは、円筒形状である情報保持媒体。
【請求項４】
請求項１から３のいずれか一項記載の情報保持媒体であって、
前記タグ配置面と接する前記無線情報通信タグの接触面は粘着面である情報保持媒体。
【発明の詳細な説明】
【技術分野】
【０００１】
本発明は情報保持媒体に関する。
【背景技術】
【０００２】
従来、物品に取付けられて該物品の情報等を非接触で認識できる無線情報通信手段を備えた情報保持媒体がある。この種の情報保持媒体としては、情報を記録・保持するＩＣチップ及び無線通信を可能にする通信アンテナを備える薄膜形状のＩＣタグが、物品の曲面に貼り付けられたものが知られている（例えば、特許文献１）。
【先行技術文献】
【特許文献】
【０００３】
【特許文献１】特許公表ＷＯ２０１３／１４５３１２
【発明の概要】
【発明が解決しようとする課題】
【０００４】
従来のＩＣタグ型の情報保持媒体においては、例えば円柱状の物品の円周面に貼り付けたい場合、ＩＣタグがＩＣチップや通信アンテナを有して可撓性及び弾性を備えていることから、貼り付け面の円周面の形状から元の平坦な形状に戻ろうとする力が働くために、剥がれ易いという問題があった。
【０００５】
また、曲面でない物品表面にＩＣタグを貼り付ける場合は、物品によっては、平坦面の大きさが殆どなくＩＣタグそのものを小さく形成しなければ設けることができなくなり、通信読取範囲（通信距離）が小さくなってしまう課題があった。そこで、十分な大きさのＩＣタグを使用するには、物品内部に平坦面を設け、この平坦面にＩＣタグを設ける構造を採用することができる。しかしながら、物品内部にＩＣタグを設置する構造では、物品内部にＩＣタグ用の平坦面を確保する必要があるだけでなく、ＩＣタグから物品の表面までの距離の分だけ最小通信距離が大きくなってしまうと共に通信読取範囲が低減されてしまうため、通信読取がし難くなる。また、この場合、良好な通信読取を維持するためには、通信出力を大きくしなければならなくなる問題があった。
【０００６】
本発明は、ＩＣタグが剥がれづらく且つ通信読取範囲を比較的広く確保できる情報保持媒体を提供することを目的とする。
【課題を解決するための手段】
【０００７】
本発明に係る情報保持媒体は、可撓な無線情報通信タグと、多面形状又は曲面形状に形成されたタグ配置面を有するベースと、前記ベースに組み付けられ、前記ベースの前記タグ配置面との間で前記無線情報通信タグを挟持するカバーと、を備えることを特徴とする。
【０００８】
また、本発明に係る情報保持媒体においては、前記カバーのタグ接触面は、前記タグ配置面と相似形状に形成されていてもよい。
【０００９】
また、本発明に係る情報保持媒体においては、前記タグ配置面と、前記タグ接触面とは、円筒形状であってもよい。
【００１０】
また、本発明に係る情報保持媒体においては、前記タグ配置面と接する前記無線情報通信タグの接触面は粘着面であってもよい。
【発明の効果】
【００１１】
本発明によれば、ＩＣタグが剥がれづらく且つ通信読取範囲を比較的広く確保できる情報保持媒体を提供することができる。
【図面の簡単な説明】
【００１２】
【図１】本発明の実施形態の情報保持媒体の一例を示す斜視図である。
【図２】図１に示す情報保持媒体における無線情報通信タグを設けた部分の一例の要部横断面図である。
【図３】図１に示す情報保持媒体における無線情報通信タグを設けた部分の他の例の要部横断面図である。
【図４】情報保持媒体における無線情報通信タグによる通信範囲を示すための概略説明図である。
【発明を実施するための形態】
【００１３】
図１は、本実施形態の情報保持媒体の一例を示す斜視図であり、図２は、情報保持媒体における無線情報通信タグを設けた部分の一例の要部横断面図、図３は、無線情報通信タグを設けた部分の他の例の要部横断面図、図４は、情報保持媒体における無線情報通信タグによる通信範囲を示すための概略説明図である。
【００１４】
図１に示す情報保持媒体１は、可撓性を有すると共に弾性を有する、例えば円形の無線情報通信タグ１０と、この無線情報通信タグ１０が接する多面形状又は曲面形状に形成されたタグ配置面２１を有するベース２０と、このベース２０に組み付けられ、ベース２０のタグ配置面２１との間で無線情報通信タグ１０を挟持するカバー３０と、を備える。
【００１５】
無線情報通信タグ１０は、例えばＩＣチップ１０ｃと、このＩＣチップ１０ｃから延びＩＣチップ１０ｃを囲むように配置された通信アンテナ１０ａと、をフィルム状の樹脂にて適宜ラミネートしたものである。
ここで、無線情報通信タグ１０は、例えば、円形状に構成されており、通信アンテナ１０ａは、その情報通信範囲を可能限り大きくするために、無線情報通信タグ１０の外縁部分に沿って最大限の大きさに円形に配置されている。
【００１６】
ベース２０は、一端側が若干先細になった略円筒形状である。そして、円筒形の外周面の一部が、例えば他の外周面よりも段差部２０ｄ(図２参照)を有して小径に形成され、その表面が多面形状又は曲面形状のタグ配置面２１として構成されている。すなわち、ベース２０は、カバー３０が、取り付けられた状態において、ベース２０の大径部分の外面とカバー３０の外面とが面一の外周面になるように構成されている。また、段差部２０ｄ近傍には、カバー３０を固定する取付ビス５０を装着するカバー取付部２０ｔが設けられている。
【００１７】
カバー３０は、ベース２０の形状に合わせて、図中において下端側が若干細くなる半円筒形状に形成されており、内側には、ベース２０のカバー取付部２０ｔに向かって突出する例えば４個の取付ボス３０ｂが設けられている。そして、このカバー３０は、その内側面をベース２０のタグ配置面２１に対面するように端縁３０ｄをベース２０の段差部２０ｄに合わせて組み合わせ、取付ビス５０にて固定する。
【００１８】
カバー３０は、その内側面がタグ接触面３１として構成されている。このタグ接触面３１は、図２に示すように、横断面形状が半円形状となっている。一方、ベース２０のタグ配置面２１は、多面形状に構成されている。
したがって、無線情報通信タグ１０は、その外側（図中上側）の全面がタグ接触面３１に接触し、無線情報通信タグ１０の内側（図中下側）の接触面１１が、多面形状のタグ配置面２１の角部分に接触して挟持されている。
【００１９】
また、ベース２０のタグ配置面２１と、カバー３０のタグ接触面３１とが、共に円筒形状に構成されている場合は、図３に示すように、タグ接触面３１とタグ配置面２１が円形の曲面形状となる。したがって、無線情報通信タグ１０は、その外側及び内側の接触面１１がタグ接触面３１及びタグ配置面２１に全面接触して挟持されている。この場合、カバー３０のタグ接触面３１とタグ配置面２１とは半円形で相似形状に形成されているが、タグ接触面３１とタグ配置面２１とは半円形でなくても、相似形状に形成されていれば、無線情報通信タグ１０を隙間なく接して保持することができる。
【００２０】
また、無線情報通信タグ１０は、タグ配置面２１と接する側の接触面１１が粘着面として構成することができる。
【００２１】
以下、図４を参照して、無線情報通信タグ１０による通信範囲について説明する。なお、図４（Ａ）は、本実施形態の情報保持媒体１の無線情報通信タグ１０による通信読取範囲ＲＬ１を示し、（Ｂ）は、（Ａ）の場合と同じ通信出力の無線情報通信タグ１０をベース２０の内部に設けた場合の通信読取範囲ＲＬ２を示す。
【００２２】
図４（Ｂ）では、ベース２０の内部の所定の平坦面に無線情報通信タグ１０を設けた構造である。この場合、無線情報通信タグ１０の電磁波の範囲は、無線情報通信タグ１０の中央部分から垂直方向の上方に最大通信読取距離を有し、タグ端部側に向かって通信読取距離が小さくなる範囲であるが、実際の通信読取範囲は、ベース２０の外側であるので、ベース２０の表面までの距離を差し引いた距離ｈ２となる。また、無線情報通信タグ１０の面方向の所謂横方向においては、横方向通信読取範囲ｗ２となる。
【００２３】
一方、図４（Ａ）に示す本実施形態の情報保持媒体１の無線情報通信タグ１０による通信読取範囲ＲＬ１においては、ベース２０の表面からの距離でその通信読取範囲の最大の距離ｈ１は、図４（Ｂ）に示す場合の通信読取範囲の最大の距離ｈ２よりも大きくなっている。また、無線情報通信タグ１０は、円弧状のタグ配置面２１に設けられることで、無線情報通信タグ１０の外表面が外側に向かって膨らむ湾曲面となる。この結果、無線情報通信タグ１０から出る電磁波もタグ端部外側に向かって広がることができ、横方向通信読取範囲ｗ１は、図４（Ｂ）に示す場合の横方向通信読取範囲ｗ２よりも広くすることができる。
【００２４】
以上述べたように、本実施形態においては、カバー３０によって、無線情報通信タグ１０をベース２０のタグ配置面２１に向かって押さえ付けることができるので、タグ配置面２１が曲面形状や多面形状であっても無線情報通信タグ１０をベース２０のタグ配置面２１に保持することができる。また、カバー３０によって無線情報通信タグ１０を覆うようにするので、無線情報通信タグ１０の汚損や衝撃に対する耐性機能を高めることができる。
【００２５】
また、本実施形態においては、カバー３０のタグ接触面３１が、タグ配置面２１と相似形状に形成されているので、タグ接触面３１により無線情報通信タグ１０をタグ配置面２１に押え付けることができ、無線情報通信タグ１０をベース２０のタグ配置面２１に一層確実に保持することができる。
【００２６】
また、本実施形態においては、タグ配置面２１と接する無線情報通信タグ１０の接触面１１は粘着面であるので、カバー３０がベース２０に組み付けられるまでの間、無線情報通信タグ１０のタグ配置面２１上での浮や位置ずれを抑制できる。また、粘着面により無線情報通信タグ１０がタグ配置面２１上に仮止できるので、カバー３０の組み付けも容易となる。
【００２７】
以上、本発明の一実施形態について説明したが、本発明は前掲の実施形態に限定されるものではなく種々変更することができる。例えば、前掲の実施形態においては、無線情報通信タグ１０を円形状としたがこれに限るものではない。また、本発明においては、ベース２０及びカバー３０の形状等においても図示のものに何ら制限されるものではない。
【符号の説明】
【００２８】
１      情報保持媒体
１０    無線情報通信タグ
１１    接触面
２０    ベース
２１    タグ配置面
３０    カバー
３１    タグ接触面
【図１】
2018180555.tif 000003
【図２】
2018180555.tif 000004
【図３】
2018180555.tif 000005
【図４】
2018180555.tif 000006